(57)【要約】【課題】デジタル放送のＣＭ等の放送関連情報のうち見たいもののみを携帯電話機で選択し、パソコン等のネットワーク接続機器で簡単に再現することのできる、携帯電話、携帯電話システム、ＵＲＬ情報取得方法、ＵＲＬ情報登録方法、情報閲覧システム、及びプログラムの提供。【解決手段】携帯電話機３は、衛星デジタル放送網２を通じてデジタルＴＶ放送を受信してＣＭに関連したＵＲＬ情報を抽出し、携帯電話機３内部の記憶部に記憶する。クレードル９はインターネット４と接続可能なパソコン１０と接続されており、クレードル９に携帯電話機３を装着すると記憶部に記憶されているデータをパソコン１０内部の記憶部に転送する。パソコン１０は受信したＵＲＬ情報をブックマーク等に登録する。ユーザは登録されたＵＲＬ情報を選択してインターネット４を介してＣＭ情報データベース５にアクセスできる。【選択図】  図１
2005020345.tif 000002
【特許請求の範囲】
【請求項１】
デジタル放送網を通じてデジタルテレビ放送を受信するデジタルテレビ放送受信手段と、前記受信したデジタルテレビ放送中の放送に関連したＵＲＬ情報を抽出してメモリに記憶する手段と、通信ネットワークまたは専用回線を介して、放送関連情報をＵＲＬ情報と対応付けて格納している放送関連情報データベースと接続可能なコンピュータと接続されているクレードルとの接続手段、を備え、前記クレードルに該携帯電話を装着することにより、該携帯電話のメモリにＵＲＬ情報が記憶されているときそのＵＲＬ情報を該携帯電話から前記クレードルを介して前記コンピュータに転送して登録させ、前記コンピュータに該登録されているＵＲＬ情報に基づいて前記放送関連情報データベースから対応する放送関連情報を取得して表示させる、ことを特徴とする携帯電話。
【請求項２】
携帯電話、クレードル、及びコンピュータから構成される携帯電話システムであって、
前記携帯電話は、デジタル放送網を通じてデジタルテレビ放送を受信するデジタルテレビ放送受信手段と、前記受信したデジタルテレビ放送中の放送に関連したＵＲＬ情報を抽出してメモリに記憶する手段と、を備え、
前記クレードルは、通信ネットワークまたは専用回線を介して、放送関連情報をＵＲＬ情報と対応付けて格納している放送関連情報データベースと接続可能なコンピュータと接続されており、
前記コンピュータは、前記クレードルに前記携帯電話を装着することにより、前記携帯電話のメモリにＵＲＬ情報が記憶されているときそのＵＲＬ情報を該クレードルを介して該携帯電話から受信して登録し、該登録されているＵＲＬ情報に基づいて前記放送関連情報データベースから対応する放送関連情報を取得して表示させる、
ことを特徴とする携帯電話システム。
【請求項３】
デジタル放送網を通じてデジタルテレビ放送を受信するデジタルテレビ放送受信手段と、  前記受信したデジタルテレビ放送中の放送に関連したＵＲＬ情報を抽出してメモリに記憶する手段と、を含む携帯電話と、
前記携帯電話とコンピュータを接続するクレードルと、
通信ネットワークまたは専用回線を介して、放送関連情報をＵＲＬ情報と対応付けて格納している放送関連情報データベースと接続する手段と、前記クレードルへの前記携帯電話の装着を検出し、前記携帯電話のメモリにＵＲＬ情報が記憶されているときそのＵＲＬ情報を前記クレードルを介して該携帯電話から受信して登録する手段と、該登録されたＵＲＬ情報に基づいて前記放送関連情報データベースから対応する放送関連情報を取得して表示させる手段と、を備えたことを特徴とする携帯電話システム。
【請求項４】
デジタルテレビ放送波を受信して画像を表示する携帯情報端末のＵＲＬ情報登録方法において、
デジタルテレビ放送波を受信して画像を表示するステップと、表示されている画像に対応付けられているＵＲＬ情報を抽出するステップと、抽出したＵＲＬ情報を取得するか否かの選択を促すステップと、選択結果を判定するステップと、
前記判定するステップによりＵＲＬ情報取得を選択した場合は、抽出されたＵＲＬ情報をメモリに記憶するステップと、を備えたことを特徴とするＵＲＬ情報取得方法。
【請求項５】
デジタルテレビ放送に含まれているＵＲＬ情報を取得可能な携帯情報端末がクレードルに装着されたか否かを検出するステップと、前記携帯情報端末がクレードルに装着された場合は、該携帯情報端末にＵＲＬ情報が記憶されているか否かを調べるステップと、前記携帯情報端末にＵＲＬ情報が記憶されている場合は該携帯情報端末からそのＵＲＬ情報をクレードルを介して該クレードルに接続している外部情報表示装置に転送するステップと、前記外部情報表示装置側において前記携帯情報端末から受信したＵＲＬ情報を登録するステップと、を備えたことを特徴とするＵＲＬ情報登録方法。
【請求項６】
前記外部情報表示装置はパーソナルコンピュータであり、前記携帯情報端末から受信したＵＲＬ情報を登録するステップは、前記受信したＵＲＬ情報をＷｅｂブラウザのブックマークに登録するステップである、ことを特徴とする請求項５記載のＵＲＬ情報登録方法。
【請求項７】
デジタル放送網を通じて携帯情報端末に向けてデジタルテレビ放送を送信するデジタルテレビ放送装置と、
通信ネットワークまたは専用回線に接続され、放送関連情報をＵＲＬ情報と対応付けて格納している放送関連情報データベースと、
前記デジタル放送網を通じてデジタルテレビ放送を受信し、デジタルテレビ放送中の放送に関連したＵＲＬ情報を抽出してメモリに記憶する携帯情報端末と、
通信ネットワークまたは専用回線を介して前記放送関連情報データベースと接続可能な外部情報表示装置と接続されているクレードルと、
を備え、
前記クレードルに前記携帯情報端末を装着することにより、携帯情報端末のメモリにＵＲＬ情報が記憶されているときそのＵＲＬ情報を該携帯情報端末から前記外部情報表示装置に転送して登録させ、前記外部情報表示装置側では登録されているＵＲＬ情報に基づいて前記放送関連情報データベースから対応する放送関連情報を取得して表示すること、を特徴とする情報閲覧システム。
【請求項８】
デジタルテレビ放送波を受信して画像を表示する携帯情報端末において実行されるプログラムであって、
受信したデジタルテレビ放送波に基づいて画像を表示させるプログラムステップと、表示されている画像に対応付けられているＵＲＬ情報を抽出させるプログラムステップと、抽出されたＵＲＬ情報を取得するか否かの選択を促させるプログラムステップと、選択結果を判定させるプログラムステップと、ＵＲＬ情報取得が選択された場合は、抽出されたＵＲＬ情報をメモリに記憶させるプログラムステップと、を備えたことを特徴とするプログラム。
【請求項９】
デジタルテレビ放送に含まれているＵＲＬ情報を取得可能な携帯情報端末と、クレードルに接続し且つ通信ネットワークに接続している外部情報表示装置において実行されるプログラムであって、
前記携帯情報端末がクレードルに装着されたか否かを検出させるプログラムステップと、前記携帯情報端末がクレードルに装着された場合は、該携帯情報端末にＵＲＬ情報が記憶されているか否かを調べさせるプログラムステップと、前記携帯情報端末にＵＲＬ情報が記憶されている場合は該携帯情報端末からそのＵＲＬ情報をクレードルを介して該クレードルに接続している外部情報表示装置に転送させるプログラムステップと、前記外部情報表示装置側において前記携帯情報端末から受信したＵＲＬ情報を登録させるプログラムステップと、を備えたことを特徴とするプログラム。
【発明の詳細な説明】
【０００１】
【発明の属する技術分野】
本発明は、デジタルＴＶ放送を受信可能な携帯電話等の携帯情報端末を用いた、携帯電話、携帯電話システム、ＵＲＬ情報取得方法、ＵＲＬ情報登録方法、情報閲覧システム、及びプログラムに関する。
【０００２】
【従来の技術】
デジタル放送の場合、ネットワーク上のＣＭ蓄積装置に蓄積されているＣＭにＵＲＬ（Ｕｎｉｆｏｒｍ  Ｒｅｓｏｕｒｃｅ  Ｌｏｃａｔｏｒ）を付加し、放送されている番組と関連付けて提供するようなシステムがある（例えば、特許文献１参照）。
【０００３】
また、デジタル放送番組受信の際、デジタル放送番組に付加されているＵＲＬを取得して記憶し、情報提供者側のサーバと接続可能とすることにより、放送番組でＵＲＬが放送されていない時点でサーバとの接続を可能とし、放送番組に関連した情報提供者の情報を閲覧可能とした情報受信装置、情報受信方法及び情報受信システムがある（例えば、特許文献２参照）。
【０００４】
【特許文献１】
特開２００１−２０４００５号公報
【特許文献２】
特開２００２−２５９７２６号公報
【０００５】
【発明が解決しようとする課題】
しかしながら、ユーザが興味を持ったＣＭを再生して出力しようとする場合、上記特許文献１記載の発明では、放送番組に埋め込まれているタグ情報を基に再生出力されるべきＣＭのＵＲＬを特定するための専用装置（ＴＶコマース装置）を必要とするという課題があった。
【０００６】
一方、デジタル放送を受信可能に構成した携帯電話等の携帯情報端末でＬＣＤ表示画面に放送中のＣＭ等を表示する場合、携帯情報端末のＬＣＤ表示画面はサイズが小さいためＣＭの内容が見づらく、ＣＭの効果が低下することが予想される。
【０００７】
ここで、上記特許文献２記載の発明では、情報受信装置で受信したＵＲＬを記憶媒体に記録し、その記憶媒体をパーソナルコンピュータ（以下、パソコン）のようなネットワーク接続機器に装着することにより情報提供者側のサーバと接続可能とし、受信した放送番組に関連した情報（例えば、ＣＭ）を番組放送時間外でも閲覧することができる。また、情報受信装置で受信したＵＲＬを記憶媒体に記録し、記憶したＵＲＬを情報受信装置からインターフェイスを介してパソコン等のネットワーク接続機器に送って受信した放送番組に関連した情報を番組放送時間外でも閲覧することもできる。また、記憶したＵＲＬを情報受信装置から無線によりパソコン等のネットワーク接続機器に送信して受信した放送番組に関連した情報を番組放送時間外でも閲覧することもできる。
【０００８】
従って、上記特許文献２記載の発明で、情報受信装置として携帯情報端末を用いれば、携帯情報端末の記憶媒体をパソコンのようなネットワーク接続機器に装着することにより情報提供者側のサーバと接続可能とし、受信した放送番組に関連した情報（例えば、ＣＭ）を番組放送時間外でも閲覧することができる。また、記憶したＵＲＬを携帯情報端末からインターフェイスを介してパソコン等のネットワーク接続機器に送って受信した放送番組に関連した情報を番組放送時間外でも閲覧することもできる。また、記憶したＵＲＬを携帯情報端末から無線によりパソコン等のネットワーク接続機器に送信して受信した放送番組に関連した情報を番組放送時間外でも閲覧することもできる。
【０００９】
しかしながら、上記特許文献２記載の発明は放送番組受信中に番組に関連するＵＲＬを全て記憶するよう構成されており、放送番組に関連する所望の情報のうち所望のもののＵＲＬのみを選択する手段が開示されておらず、放送番組受信時に検出したＵＲＬを全て記憶媒体に記憶するので、ユーザは特に見たい情報（例えば、ＣＭ）をネットワーク機器上で再生表示したい場合には、ネットワーク機器を操作して再生出力される情報の中から見たいものを選択せねばならないこととなり、放送番組終了後に見たかったＣＭ等を思い出して多くの情報の中から選択せねばならないといった不都合が生ずる。
【００１０】
なお、上記特許文献２記載の発明では、同一番組の最新の記録日時のＵＲＬをパソコン等のネットワーク接続機器に与えることができるので、最新のＣＭ等を閲覧することはできるが最新のＣＭ等がユーザの見たかったＣＭとは限らないといった課題がある。
【００１１】
また、上記特許文献２記載の発明では、情報受信装置から記憶したＵＲＬをインターフェイスを介してパソコン等のネットワーク接続機器に送るが、情報受信装置がパソコン等のネットワーク接続機器との接続用のコネクタを持たないものの場合は記憶したＵＲＬをネットワーク接続機器に送ることができず、結果としてＣＭ等を閲覧できないといった課題もあった。
【００１２】
本発明は、上記従来技術の課題を解決するためになされたものであり、受信したデジタル放送のＣＭ等の放送関連情報のうち見たいもののみを携帯電話で選択し、パソコン等のネットワーク接続機器で簡単に再現することのできる、携帯電話、携帯電話システム、ＵＲＬ情報取得方法、ＵＲＬ情報登録方法、情報閲覧システム、及びプログラムの提供を目的とする。
【００１３】
【課題を解決するための手段】
上記課題を解決するために、請求項１に記載の発明では、デジタル放送網を通じてデジタルテレビ放送を受信するデジタルテレビ放送受信手段と、  受信したデジタルテレビ放送中の放送に関連したＵＲＬ情報を抽出してメモリに記憶する手段と、通信ネットワークまたは専用回線を介して、放送関連情報をＵＲＬ情報と対応付けて格納している放送関連情報データベースと接続可能なコンピュータと接続されているクレードルとの接続手段、を備え、クレードルに該携帯電話を装着することにより、該携帯電話のメモリにＵＲＬ情報が記憶されているときそのＵＲＬ情報を該携帯電話からクレードルを介してコンピュータに転送して登録させ、コンピュータに該登録されているＵＲＬ情報に基づいて放送関連情報データベースから対応する放送関連情報を取得して表示させる、ことを特徴とする携帯電話を提供する。
これにより、携帯電話の表示画面のサイズが小さくても、携帯電話のユーザは放送関連情報から得る印象により特に見たいと思う放送関連情報ＵＲＬ情報のみを選択することができる。
【００１４】
また、請求項２に記載の発明は、携帯電話、クレードル、及びコンピュータから構成される携帯電話システムであって、携帯電話は、デジタル放送網を通じてデジタルテレビ放送を受信するデジタルテレビ放送受信手段と、受信したデジタルテレビ放送中の放送に関連したＵＲＬ情報を抽出してメモリに記憶する手段と、を備え、クレードルは、通信ネットワークまたは専用回線を介して、放送関連情報をＵＲＬ情報と対応付けて格納している放送関連情報データベースと接続可能なコンピュータと接続されており、コンピュータは、クレードルに携帯電話を装着することにより、携帯電話のメモリにＵＲＬ情報が記憶されているときそのＵＲＬ情報を該クレードルを介して該携帯電話から受信して登録し、該登録されているＵＲＬ情報に基づいて放送関連情報データベースから対応する放送関連情報を取得して表示させる、ことを特徴とする携帯電話システムを提供する。
これにより、ユーザは携帯電話で受信したデジタル放送のＣＭ等の放送関連情報のうち見たい放送関連情報のＵＲＬ情報のみを取得できる。そして、取得したＵＲＬ情報をクレードルを介してコンピュータに転送し、登録させることができる。つまり、携帯電話とクレードルがあれば、コンピュータと携帯電話のインターフェイスを設けなくても、携帯電話で見たい放送関連情報のＵＲＬ情報を選択し、携帯電話をクレードルに装着するといった簡単な操作のみで必要とするＵＲＬ情報のみがネットワークに接続するコンピュータに登録されるので、ユーザは随時登録したＵＲＬ情報を選択してそのＵＲＬ情報に対応する放送関連情報を閲覧できる。しかも、必要なＵＲＬ情報のみが登録されているので、従来技術のように不要なＵＲＬ情報の中から必要なＵＲＬ情報を選ぶ手間を要しない。
【００１５】
また、請求項３に記載の発明は、デジタル放送網を通じてデジタルテレビ放送を受信するデジタルテレビ放送受信手段と、受信したデジタルテレビ放送中の放送に関連したＵＲＬ情報を抽出してメモリに記憶する手段と、を含む携帯電話と、携帯電話とコンピュータを接続するクレードルと、通信ネットワークまたは専用回線を介して、放送関連情報をＵＲＬ情報と対応付けて格納している放送関連情報データベースと接続する手段と、クレードルへの携帯電話の装着を検出し、携帯電話のメモリにＵＲＬ情報が記憶されているときそのＵＲＬ情報をクレードルを介して携帯電話から受信して登録する手段と、該登録されたＵＲＬ情報に基づいて放送関連情報データベースから対応する放送関連情報を取得して表示させる手段と、を備えたことを特徴とする携帯電話システムを提供する。
これにより、ユーザは請求項２に記載の携帯電話システムと同様、携帯電話とクレードルがあれば、コンピュータと携帯電話のインターフェイスを設けなくても、携帯電話で見たい放送関連情報のＵＲＬ情報を選択し、携帯電話をクレードルに装着するといった簡単な操作のみでそのＵＲＬ情報に対応する放送関連情報を閲覧できる。また、従来技術のように不要なＵＲＬ情報の中から必要なＵＲＬ情報を選ぶ手間を要しない。
【００１６】
また、請求項４に記載の発明では、デジタルテレビ放送波を受信して画像を表示する携帯情報端末のＵＲＬ情報取得方法において、デジタルテレビ放送波を受信して画像を表示するステップと、表示されている画像に対応付けられているＵＲＬ情報を抽出するステップと、抽出したＵＲＬ情報を取得するか否かの選択を促すステップと、選択結果を判定するステップと、判定するステップによりＵＲＬ情報取得を選択した場合は、抽出されたＵＲＬ情報をメモリに記憶するステップと、を備えたことを特徴とするＵＲＬ情報取得方法を提供する。
これにより、携帯情報端末の画面サイズが小さくても、携帯情報端末のユーザは表示されている画像から得る印象により特に見たいと思う画像に対応付けられているＵＲＬ情報のみを選択し、取得することができる。
【００１７】
また、請求項５に記載の発明では、デジタルテレビ放送に含まれているＵＲＬ情報を取得可能な携帯情報端末がクレードルに装着されたか否かを検出するステップと、携帯情報端末がクレードルに装着された場合は、該携帯情報端末にＵＲＬ情報が記憶されているか否かを調べるステップと、携帯情報端末にＵＲＬ情報が記憶されている場合は該携帯情報端末からそのＵＲＬ情報をクレードルを介して該クレードルに接続している外部情報表示装置に転送するステップと、外部情報表示装置側において携帯情報端末から受信したＵＲＬ情報を登録するステップと、を備えたことを特徴とするＵＲＬ情報登録方法を提供する。
これにより、外部情報表示装置に登録されたＵＲＬ情報を選択すれば、選択されたＵＲＬ情報を基に通信ネットワークを介して放送関連情報データベースにアクセスし、選択されたＵＲＬ情報に対応する放送関連情報のみを取得して外部情報表示装置で閲覧できるので、不要なＵＲＬ情報の中から必要なＵＲＬ情報を選ぶ手間を省くことができる。
【００１８】
また、請求項６に記載の発明では、外部情報表示装置はパーソナルコンピュータであり、携帯情報端末から受信したＵＲＬ情報を登録するステップは、受信したＵＲＬ情報をＷｅｂブラウザのブックマークに登録するステップであることを特徴とする請求項５記載のＵＲＬ情報登録方法を提供する。これにより、簡単な操作で必要なＵＲＬ情報を迅速に選択できる。
【００１９】
また、請求項７に記載の発明では、デジタル放送網を通じて携帯情報端末に向けてデジタルテレビ放送を送信するデジタルテレビ放送装置と、通信ネットワークまたは専用回線に接続され、放送関連情報をＵＲＬ情報と対応付けて格納している放送関連情報データベースと、デジタル放送網を通じてデジタルテレビ放送を受信し、デジタルテレビ放送中の放送に関連したＵＲＬ情報を抽出してメモリに記憶する携帯情報端末と、通信ネットワークまたは専用回線を介して放送関連情報データベースと接続可能な外部情報表示装置と接続されているクレードルと、を備え、クレードルに携帯情報端末を装着することにより、携帯情報端末のメモリにＵＲＬ情報が記憶されているときそのＵＲＬ情報を該携帯情報端末から外部情報表示装置に転送して登録させ、外部情報表示装置側では登録されているＵＲＬ情報に基づいて放送関連情報データベースから対応する放送関連情報を取得して表示すること、を特徴とする情報閲覧システムを提供する。
これにより、ユーザは携帯情報端末で受信したデジタル放送のＣＭ等の放送関連情報のうち見たい放送関連情報のＵＲＬ情報のみを取得できる。そして、取得したＵＲＬ情報をクレードルを介してパソコン等の外部情報表示装置に転送し、登録させることができる。つまり、携帯電話等の携帯情報端末とクレードルがあれば、外部情報表示装置と携帯情報端末用のインターフェイスを設けなくても、携帯情報端末で見たい放送関連情報のＵＲＬ情報を選択し、携帯情報端末をクレードルに装着するといった簡単な操作のみで必要とするＵＲＬ情報のみをネットワークに接続する外部情報表示装置に登録されるので、ユーザは随時登録したＵＲＬ情報を選択してそのＵＲＬ情報対応する放送関連情報を閲覧できる。しかも、必要なＵＲＬ情報のみが登録されているので、従来技術のように不要なＵＲＬ情報の中から必要なＵＲＬ情報を選ぶ手間を要しない。
【００２０】
また、請求項８に記載の発明では、デジタルテレビ放送波を受信して画像を表示する携帯情報端末において実行されるプログラムであって、受信したデジタルテレビ放送波に基づいて画像を表示させるプログラムステップと、表示されている画像に対応付けられているＵＲＬ情報を抽出させるプログラムステップと、抽出されたＵＲＬ情報を取得するか否かの選択を促させるプログラムステップと、選択結果を判定させるプログラムステップと、ＵＲＬ情報取得が選択された場合は、抽出されたＵＲＬ情報をメモリに記憶させるプログラムステップと、を備えたことを特徴とするＵＲＬ情報取得プログラムを提供する。これにより、請求項１記載の発明と同様の効果を得ることができる。
【００２１】
また、請求項９に記載の発明では、デジタルテレビ放送に含まれているＵＲＬ情報を取得可能な携帯情報端末と、クレードルに接続し且つ通信ネットワークに接続している外部情報表示装置において実行されるプログラムであって、携帯情報端末がクレードルに装着されたか否かを検出させるプログラムステップと、携帯情報端末がクレードルに装着された場合は、該携帯情報端末にＵＲＬ情報が記憶されているか否かを調べさせるプログラムステップと、携帯情報端末にＵＲＬ情報が記憶されている場合は該携帯情報端末からそのＵＲＬ情報をクレードルを介して該クレードルに接続している外部情報表示装置に転送させるプログラムステップと、外部情報表示装置側において携帯情報端末から受信したＵＲＬ情報を登録させるプログラムステップと、を備えたことを特徴とするＵＲＬ情報登録プログラムを提供する。これにより、請求項２記載の発明と同様の効果を得ることができる。
【００２２】
【発明の実施の形態】
図１は、本発明に基づく放送関連情報閲覧システムの一実施例を示す図であり、携帯情報端末として携帯電話機を用いた例を示す。なお、本発明において、携帯電話という用語にはＣＤＭＡ、ＧＳＭをはじめとする各種方式の携帯電話、ＰＨＳ、電話機能を内蔵したＰＤＡ、カメラ機能を内蔵した携帯電話などを含む。
【００２３】
放送関連情報閲覧システム１００において、デジタルテレビ（以下、デジタルＴＶ）放送装置１は、番組制作・放送を行う放送局に設けられ、放送／通信衛星を用いた衛星デジタル放送網２を通じて、携帯電話機３等の携帯情報端末に向けてデジタルＴＶ番組を放送する。また、デジタルＴＶ放送装置１はインターネット４等のネットワークまたは専用回線を介してＣＭ製作会社等に設けられたＣＭ情報データベース５と接続される。なお、デジタル放送は放送／通信衛星を用いたものに限らず地上波でもよい。インターネットやＣＡＴＶ（ケーブルテレビ）を経由したものでもよい。
【００２４】
携帯電話機３は、上記衛星デジタル放送網２を通じてデジタルＴＶ放送を受信し、デジタルＴＶ放送中のＣＭに関連したＵＲＬ情報を抽出し、これを携帯電話機３内部の記憶部４１（図２参照）に記憶する。
【００２５】
センター７は各地に点在する基地局８を経由して各携帯電話機３のユーザ情報や電話番号やその端末の位置情報を管理し、またインターネット４と接続されており、携帯電話機３からインターネット４に接続できるように制御している。
【００２６】
クレードル９は、パソコンとの接続用のコネクタを持たない携帯電話機等をパソコンに接続する場合に用いる一種の接続台であり、インターネット４と接続可能なパソコン１０と例えばＵＳＢケーブルで接続されており、クレードル９に携帯電話機３を装着することにより、携帯電話機３内部の記憶部４１に記憶されているデータをパソコン１０内部の記憶部に転送する。また、クレードル９には携帯電話機３の接点部と電気的に接続してデータ受信の接点となる端子部が設けられている。なお、携帯電話機３を物理的に支持する機能や充電機能を持つこともできるが必須ではない。
【００２７】
パソコン１０は携帯電話機３と連携してインターネット４を介して前記ＣＭ情報データベース５と接続し情報を送受信するプログラムを内蔵している。このプログラムは携帯電話機３に添付されたまたは別売の記録媒体からパソコン１０にインストールするか、インターネット４からダウンロードするか、若しくはパソコン１０に予めインストールされている。
【００２８】
図２は、図１に示した携帯電話機３の内部構成例を示すブロック図であり、携帯電話機３はデジタルＴＶ放送受信可能に構成されており、無線送受信部３１、無線信号処理部３２、制御部３３、キー入力部３４、クレードル装着検出部３５、クレードルＩ／Ｆ（インターフェイス）部３６、ドライバ３７、表示部３８、加入者情報記憶部３９、ＲＯＭ４０、記憶部４１、音声信号処理部４２、スピーカ４３、マイクロフォン４４、ドライバ４５、スピーカ４６、バイブレータ４７、及びＭＰＥＧデコード部４８を備えている。
【００２９】
無線送受信部３１は無線によりアンテナ３１１を介して音声信号やデータを送受する。また、デジタルＴＶ放送装置１からの電波を無線信号処理部３２に渡す。
【００３０】
無線信号処理部３２は無線送受信部３１で受信した音声信号やデータを復調したり、無線送受信部３１から送信する音声信号やデータを変調するなどの無線通信に必要な処理を行う。また、デジタルＴＶ放送装置１からの電波を、例えば、ＭＰＥＧ２  ＴＳ（Ｍｏｖｉｎｇ  Ｐｉｃｔｕｒｅ  Ｅｘｐｅｒｔ  Ｇｒｏｕｐ２  Ｔｒａｎｓｐｏｒｔ  Ｓｔｒｅａｍ：ＭＰＥＧ２（国際的に標準化されたデジタル動画圧縮方式で圧縮された映像・音声などのデータ）を１８８バイトの固定長に分割した伝送フォーマット）に変換し、ＭＰＥＧデコード部４８に渡す。
【００３１】
制御部３３は、図２に示した各内部構成要素を総括し、ＲＯＭ４０に格納されている制御プログラム及び動作プログラムにより、各内部構成要素の動作を制御する。動作プログラムにはモード選択プログラム、デジタルテレビ放送受信時にＵＲＬ情報を取得する動作プログラム、クレードル９を介して接続する外部コンピュータに取得したるＵＲＬ情報を転送して登録させる動作プログラムを含んでいる。
【００３２】
キー入力部３４は、電源キー、テンキー、送受信開始キー、送受信停止キー、カーソルキー、取り消しキー、決定キー等の各種キーを含みこれらのキーが操作されると対応する信号が制御部３３に送出される。
【００３３】
クレードル装着検出部３５は、光センサ、メカニカルスイッチ等で構成され、携帯電話機３がクレードル９に装着されると装着検出信号を制御部３３に送出する。クレードルへの携帯電話機３の装着検出は制御部３３による定期的アクセスやインタラプト信号検出などのソフトウエア的に実現することもできる。
【００３４】
クレードルＩ／Ｆ（インターフェイス）部３６はクレードル９の端子部と電気的に接続し、図１に示したように携帯電話機３がクレードル９に装着された際に、記憶部４１に記憶されているＵＲＬデータをクレードルＩ／Ｆ部３６を介してクレードル９と接続されているパソコン１０内の記憶部に転送する。
【００３５】
ドライバ３７は表示部３８を駆動し、画像及びデータを表示させる。また、加入者情報記憶部３９は携帯電話機３を呼び出すための電話番号やユーザ（加入者）のＩＤ等、プロフィールデータを格納する。
【００３６】
ＲＯＭ４０は制御部の動作プログラムが記録されたプログラム格納用ＲＯＭであり、ＲＯＭ４０には制御プログラムや、デジタルテレビ放送受信モードにおけるＵＲＬ情報取得用動作プログラム（図５参照）や携帯電話機３のクレードル９への装着時におけるＵＲＬ情報登録用動作プログラム（図６参照）が格納されている。
【００３７】
記憶部４１は無線通信端末として必要な各種データを記憶し、且つ制御部３３が動作する上で必要なプログラムやデータを記憶する。実施例では携帯電話機３の電源スイッチがオフの場合でも、記憶部４１には電源が供給され記憶内容が維持される。また、図２で、符号４１１で示される領域はＵＲＬ情報を記憶するＵＲＬ情報記憶エリアである。
【００３８】
音声信号処理部４２はマイクロフォン４４から入力された音声信号を符号化処理したり、無線信号処理部３２から出力された信号に基づいて音声信号を復号してスピーカ４３から出力したりする。ドライバ４５は、スピーカ４６、バイブレータ４７を駆動するためのドライバである。
【００３９】
ＭＰＥＧデコード部４８は、無線信号処理部３２からのＭＰＥＧ２  ＴＳをオーディオデータ及びビデオデータに分離すると共に、ＵＲＬ情報がある場合はＵＲＬ抽出部４８１でこれを抽出する。ビデオデータはドライバ３７に転送され、表示部３８に画像として表示される。また、ＵＲＬ情報は記憶部４１に転送され、ＵＲＬ情報記憶エリア４１１に記憶される。
【００４０】
以下、本発明の具体例について図３〜図７に基づいて▲１▼〜▲４▼の順を追って説明する。
▲１▼  デジタルＴＶ放送に流れるＣＭには各ＣＭに関する詳細情報を得ることができるＵＲＬ情報が添付されて放送される。このＵＲＬ情報は、ＣＭ製作会社等に設けられたＣＭ情報データベース５にて管理されており、デジタルＴＶ放送装置１はＣＭ情報データベース５からインターネット４等のネットワーク又は専用回線を介して各ＣＭに対するＵＲＬ情報を取得する。ＣＭ情報データベース５はある会社の製品やサービスなどのＣＭに対するＵＲＬ情報を図３に示すように会社毎に管理しているものとする。
【００４１】
図３は、図１に示したＣＭ情報データベース５のデータ構成例を示す図であり、ＣＭ情報データベース５は複数の会社データ（会社（１）、会社（２）、・・・、会社（ｎ））と、それぞれの会社毎に関連付けられた通常複数のＣＭのＵＲＬデータ（図示の例では、会社（１）にｍ個のＣＭのＵＲＬ情報（ＣＭ（１）ＵＲＬ、ＣＭ（２）ＵＲＬ、・・・、ＣＭ（ｍ）ＵＲＬ））が関連付けられて記憶されている。以下、会社（２）、・・・についても、ｐ個、ｑ個、・・・のＣＭのＵＲＬ情報が同様に関連付けられて記憶される。
【００４２】
▲２▼  また、上記▲１▼のＣＭを携帯電話機３で受信し、聴取しているユーザが、あるＣＭの詳細情報を知ろうとする場合、ユーザは情報端末３にあるキー（図４参照）を操作してそのＣＭの詳細情報があるＵＲＬ情報を取得することができる。
【００４３】
図４は、携帯電話機３の表示例を示す図であり、符号３８１はＣＭ、符号３８２は表示されているＣＭ３８１の詳細情報があるＵＲＬ、符号３８３はＵＲＬ３８２をＵＲＬ情報記憶エリア４１１に記憶（登録）するか否かを問うメッセージ、符号３８４は登録用ボタン、符号３８５はキャンセルボタンである。
【００４４】
図５は、デジタルテレビ放送受信モードにおける携帯電話機３のＵＲＬ情報取得動作の一実施例を示すフローチャートであり、携帯電話機３によるＵＲＬ情報取得時に、制御部３３が実行制御を行う動作プログラムの動作に相当する。
ユーザが携帯電話機３を起動してデジタルＴＶ放送受信操作を行うと、制御部３３は、無線放送受信部３１に、デジタルＴＶ放送装置１からの電波を受信させ、無線信号処理部３２に渡させる。無線信号処理部３２はデジタルＴＶ放送装置１からの電波をＭＰＥＧ２  ＴＳに変換し、変換データをＭＰＥＧデコード部４８に渡す。ＭＰＥＧデコード部４８は無線信号処理部３２からのＭＰＥＧ２  ＴＳをオーディオデータ及びビデオデータに分離する。制御部３３は分離されたビデオデータをドライバ３７に渡すようＭＰＥＧデコード部４８を制御し、表示部３８に表示させる（ステップＳ１）。
【００４５】
また、制御部３３はＭＰＥＧデコード部４８にＵＲＬ抽出部４８１でビデオデータからＵＲＬ情報を抽出させる（ステップＳ２）。
【００４６】
次に、制御部３３はビデオデータ及びＵＲＬデータをドライバ３７に転送し、図４に示すように抽出されたＵＲＬ情報３８２及びメッセージ３８３を表示部３８に表示させ、ユーザに対しＵＲＬ情報取得の可否選択を促させる（ステップＳ３）。
【００４７】
ユーザは表示されているＣＭ３８１及びＵＲＬ情報３８２を見て、ＣＭ３８１の詳細情報を見ようとする場合は、キー入力部３４の登録用キー３８４（図４の例ではテンキーの「７」））を押し、詳細情報を見ない場合はキャンセルキー３８５（図４の例ではテンキーの「９」）を押すので、制御部３３はキー入力部３４からの信号を調べ、登録用キー３８４が押された場合はステップＳ５に進み、キャンセルキー３８５が押された場合はステップＳ６に進む（ステップＳ４）。
【００４８】
登録用キー３８４が押された場合は、抽出されているＵＲＬ情報を記憶部４１に転送し、ＵＲＬ情報記憶エリア４１１に記憶する（ステップＳ５）。
【００４９】
また、キャンセルキー３８５が押された場合は、抽出されているＵＲＬ情報を破棄する（ステップＳ６）。
【００５０】
上記図５のフローチャートの構成により、携帯電話機３のＬＣＤ表示画面のサイズが小さくても、携帯電話機３のユーザはＣＭ画像から得る印象により特に見たいと思うＣＭのＵＲＬ情報のみを選択して取得することができる。
【００５１】
▲３▼  携帯電話機３のユーザが図１に示したように自宅に設置されたクレードル９に携帯電話機３を装着すると、携帯電話機３の記憶部４１に記憶されているＵＲＬ情報がクレードル９を介してクレードル９が接続されているパソコンに登録される。
【００５２】
図６は、携帯電話機３のクレードル９への装着時におけるＵＲＬ情報登録動作の一実施例を示すフローチャートであり、携帯電話機３によるＵＲＬ情報転送時に、制御部３３及びパソコン１０の制御部（図示せず）の実行制御を行う動作プログラムの動作に相当する。
【００５３】
図６で、携帯電話機３がクレードル９に装着されると、携帯電話機３のクレードル装着検出部３５から制御部３３に装着検出信号が送出されるので、制御部３３はクレードル装着検出部３５からの装着検出信号受信の有無を調べ、装着検出信号を受け取った場合はステップＴ２に進む（ステップＴ１）。
【００５４】
携帯電話機３がクレードル９に装着された場合は、制御部３３は記憶部４１にＵＲＬ情報が記憶されているか否かを調べ（ステップＴ２）、ＵＲＬ情報が記憶されている場合はそのＵＲＬ情報をクレードル９を介してクレードル９に接続しているパソコン１０に転送する（ステップＴ３）。
【００５５】
クレードル９を介して携帯電話機３からＵＲＬ情報を受信したパソコン１０はＷｅｂブラウザのブックマーク（図７参照）に受信したＵＲＬ情報を登録する（ステップＴ４）。
【００５６】
図７は、パソコンへのＵＲＬ情報登録例を示す図であり、Ｗｅｂのブックマークに登録した例を示し、ブックマーク７０には図示のように趣味や旅行、デジタルＴＶのＣＭサイトといったように利用分野別にホルダが設けられ、各ホルダは図示のように更に細分されている。ブックマーク７０のホルダ７１（デジタルＴＶのＣＭサイト登録ホルダ）には図示のように登録日付別に登録された各ＵＲＬ情報７２が表示される。
【００５７】
なお、上記図６のフローチャートの説明ではパソコン１０に転送されたＵＲＬ情報をＷｅｂのブックマークに登録するとしたが、ＵＲＬ情報の登録先はブックマークに限定されない。また、上記ステップＴ３でクレードル装着検出部３５から携帯電話機３のクレードル９への装着検出信号を受け取った場合は、装着検出信号をクレードル９を介してパソコン１０に送信するようにしてもよい。
【００５８】
▲４▼  上記パソコン１０へのＵＲＬ情報の登録により、パソコン１０に登録されたＵＲＬ情報を選択すれば、選択されたＵＲＬ情報を基にインターネット４を介してＣＭ情報データベース５にアクセスし、選択されたＵＲＬ情報に対応するＣＭ及び詳細情報のみを取得してパソコン１０の画面上で閲覧できる。
【００５９】
また、上記図６のフローチャートの説明ではクレードル９を介して携帯電話機３からパソコン１０に取得したＵＲＬ情報を送信し、登録させたが、取得したＵＲＬ情報を携帯電話機３からインターネット４を介してメール送信するようにしてもよい。この場合は、携帯電話機３からＵＲＬ情報を含むメールを無線送信し、基地局８及びセンター７を介してインターネット４経由でパソコン１０が受信し、パソコン１０側で、メールを開封してＵＲＬ情報を取り出して登録する。
【００６０】
以上、本発明の一実施例について説明したが本発明は上記実施例に限定されるものではなく、種々の変形実施が可能であることはいうまでもない。放送関連情報としてＣＭ情報を例にとって説明したが、これに限ることなく、出演者情報、関連用品情報など種々応用することができる。携帯電話機とパソコンの接続は有線でなく無線ＬＡＮ、ＵＷＢ、ブルートゥースなどの無線で行ってもよい。
【００６１】
【発明の効果】
上記説明したように、本発明によれば、簡単な操作のみで必要とするＵＲＬ情報を選択してそのＵＲＬ情報に対応する放送関連情報を閲覧できる。
【図面の簡単な説明】
【図１】本発明に基づく放送関連情報閲覧システムの一実施例を示す図である。
【図２】図１に示した携帯電話機の内部構成の一実施例を示す図である。
【図３】図１に示したＣＭ情報データベースのデータ構成例を示す図である。
【図４】携帯電話機の表示例を示す図である。
【図５】デジタルテレビ放送受信モードにおける携帯電話機のＵＲＬ情報取得動作の一実施例を示すフローチャートである。
【図６】携帯電話のクレードルへの装着時におけるＵＲＬ情報登録動作の一実施例を示すフローチャートである。
【図７】パソコンへのＵＲＬ情報登録例を示す図である。
【符号の説明】
２    衛星デジタル放送網（デジタル放送網）
３    携帯電話機（携帯電話、携帯情報端末）
４    インターネット（通信ネットワーク）
５    ＣＭ情報データベース
８    基地局
９    クレードル
１０  パソコン（コンピュータ、外部情報機器）
３１  無線送受信部（デジタルＴＶ放送受信手段）
３２  無線信号処理部
３４  キー入力部
３６  クレードルＩ／Ｆ部
３８  表示部
４１  記憶部
４８  ＭＰＥＧデコード部
７０  ブックマーク
１００  放送関連情報閲覧システム
３３２  クレードル装着検出部
３８２  ＵＲＬ情報
４１１  ＵＲＬ情報記憶エリア
４８１  ＵＲＬ抽出部
【図１】
2005020345.tif 000003
【図２】
2005020345.tif 000004
【図３】
2005020345.tif 000005
【図４】
2005020345.tif 000006
【図５】
2005020345.tif 000007
【図６】
2005020345.tif 000008
【図７】
2005020345.tif 000009